(57)【要約】【課題】特別の補助的な加熱手段を必要とせず、あるいは、設置位置の自由度が高くて耐久性も高い補助的な加熱手段を有し、商品温度のバラツキを低減することができる自動販売機を得ることを目的とする。【解決手段】商品切り出し装置３が、商品切り出しペダル８と、これを駆動するソレノイド４とを具備し、ソレノイド４が発する熱によって商品ラック２に収納された商品Ｓを補助的に加熱する。プランジャ５が作動する最低電圧よりも低い電圧をソレノイド４に付与するソレノイド制御装置、または、前記最低電圧よりも高い電圧を印加した際の作動遅れ時間よりも短い時間の間だけ、前記最低電圧よりも高い電圧を前記ソレノイドに付与するソレノイド制御装置を備える。あるいは、商品切り出し装置３の装置基板３１または装置案内板３２の一方または両方で、商品が通過しない側の面に補助発熱体を設置する。【選択図】        図２
2006107267.tif 000002
【特許請求の範囲】
【請求項１】
断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータと、
前記商品シュータの下方に設置され、前記商品収納庫内の空気を加熱する空気加熱手段と、
前記商品シュータの下方に設置され、前記商品収納庫内の空気を送る送風手段と、
該送風手段によって送られた空気を前記商品ラックの内部を経由して前記送風手段に戻すための循環ダクトとを有する自動販売機であって、
前記商品切り出し装置が、前記商品ラックに収納された最下段の商品を受け止め、且つこれを落下させる商品切り出しペダルと、該商品切り出しペダルを駆動するソレノイドと、前記商品切り出しペダルを傾動自在に支持し、且つ前記ソレノイドが設置された切り出し装置基板とを具備し、
該ソレノイドが発する熱によって前記商品ラックに収納された商品が補助的に加熱されることを特徴とする自動販売機。
【請求項２】
前記ソレノイドが前記商品切り出しペダルに連結されたプランジャを具備し、
該プランジャが作動する最低電圧よりも低い電圧を前記ソレノイドに付与するソレノイド制御装置を備えたことを特徴とする請求項１記載の自動販売機。
【請求項３】
前記ソレノイドが前記商品切り出しペダルに連結されたプランジャを具備し、
該プランジャが作動する最低電圧よりも高い電圧を前記ソレノイドに付与してから前記プランジャが作動を開始するまでの作動遅れ時間よりも短い時間の間だけ、前記最低電圧よりも高い電圧を前記ソレノイドに付与するソレノイド制御装置を備えたことを特徴とする請求項１記載の自動販売機。
【請求項４】
前記ソレノイドが前記商品切り出しペダルに連結されたプランジャを具備し、
該プランジャが作動する最低電圧よりも高い電圧を前記ソレノイドに付与してから前記プランジャが作動を開始するまでの作動遅れ時間よりも短い時間の間だけ、前記最低電圧よりも高い電圧を前記ソレノイドに付与し、
該最低電圧よりも高い電圧を付与する合間に、前記最低電圧よりも低い電圧を前記ソレノイドに付与するソレノイド制御装置を備えたことを特徴とする請求項１記載の自動販売機。
【請求項５】
前記ソレノイドの外面と前記切り出し装置基板とを熱的に連結する伝熱板が設置され、該伝熱板によって、前記ソレノイドの発する熱が前記切り出し装置基板に伝達されることを特徴とする請求項１乃至４の何れかに記載の自動販売機。
【請求項６】
断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータと、
前記商品シュータの下方に設置され、前記商品収納庫内の空気を加熱する空気加熱手段と、
前記商品シュータの下方に設置され、前記商品収納庫内の空気を送る送風手段と、
該送風手段によって送られた空気を前記商品ラックの内部を経由して前記送風手段に戻すための循環ダクトとを有する自動販売機であって、
前記商品切り出し装置が、前記商品ラックに収納された最下段の商品を受け止め、且つこれを落下させる商品切り出しペダルと、該商品切り出しペダルを駆動するペダル駆動手段と、前記商品切り出しペダルを傾動自在に支持し、且つ前記ペダル駆動手段が設置された切り出し装置基板と、該切り出し装置基板に対向して商品が通過自在な間隔を設けて配置された切り出し装置案内板と、前記切り出し装置基板または切り出し装置案内板の一方または両方の、商品が通過しない側の面に設置された発熱体とを具備し、
該発熱体が発する熱によって、前記商品ラックに収納された商品が補助的に加熱されることを特徴とする自動販売機。
【請求項７】
前記商品ラックが前記筐体の前部から後部に向かって複数設置され、
該商品ラックのうち最前部に設置された商品ラックにおいて、該商品ラックに収納された商品が補助的に加熱されることを特徴とする請求項１乃至６の何れかに記載の自動販売機。
【請求項８】
前記補助的に加熱される商品が、前記商品ラックに収納された下から２個目または３個目の商品の一方または両方であることを特徴とする請求項１乃至７の何れかに記載の自動販売機。
【発明の詳細な説明】
【技術分野】
【０００１】
本発明は、缶、ビン、パック、ペットボトル等の容器に入れた飲料等の商品を加熱して、若しくは、加熱および冷却して販売に供する自動販売機に関する。
【背景技術】
【０００２】
従来の自動販売機は、断熱材によって囲まれ一面に開口部が設けられた筐体と、該開口部を開閉自在であって、商品が通過自在な商品搬出口を具備する断熱扉と、該筐体内に設置された仕切り壁によって形成された商品収納庫と、該商品収納庫内に配置され、商品を収納する商品ラックと、該商品ラックの下端部に配置され、収納された商品を順次切り出す商品切り出し装置と、該商品切り出し装置から切り出されて落下した商品を前記商品搬出口に誘導する商品シュータと、前記商品シュータの下方に設置され、前記商品収納庫内の空気（以下「庫内空気」と称す）を加熱する空気加熱手段と、前記商品シュータの下方に設置され、庫内空気を送る送風手段と、該送風手段によって送られた庫内空気を前記商品ラックの内部を経由して前記送風手段に戻すための循環ダクトとを有する。
また、通常、庫内空気を冷却する空気冷却手段を備え、収納された商品の種類や季節に応じて、商品収納庫ごとに空気加熱手段または空気冷却手段を選択的に使用するものである。
【０００３】
かかる自動販売機において、庫内空気は電熱ヒータの熱によって加熱され、該加熱された庫内空気は商品収納庫内を循環して、商品ラックに収納された商品を加熱している。
このとき、商品収納庫は、前記筐体が仕切り壁（断熱材）で仕切られて形成されたものであるが、一方の商品収納庫では庫内空気が加熱され、隣接する他方の商品収納庫では庫内空気が冷却される際、前記仕切り壁を介して熱流れが僅かながら生じている。また、電熱ヒータから各商品に届くまでの距離や経路が相違し、各商品に沿って流れる風量や風速が相違している。このため、商品ラックに収納された商品は、場所によって受け取る吸熱量が異なっている。
特に、前記筐体の開閉部を閉じる断熱扉には開口した商品搬出口があるため、外気との間で僅かながら熱流れが生じるため、筐体の開閉部に近い位置に設置された商品ラックに収納された最下段商品は、他の位置に収納された商品よりも、放散する放熱量が多くなっている。
【０００４】
さらに、商品温度または庫内温度が一定の温度に到達した時点で、電熱ヒータを一時停止（ＯＦＦ）する「いわゆる省エネ運転」をすると、電熱ヒータを停止している間（この間、送付ファンも停止している）、商品ラックの下段に収納された商品、特に、最下端に収納された商品（以下「最下端商品」と称す）は、上段に収納された商品よりも冷え易く、販売に好適な所定温度よりも低い温度になる傾向にある。すなわち、商品ラックに収納された商品は、場所によって放散する放熱量が異なっている。
このため、省エネ運転において、電熱ヒータに通電して再度加熱を再開した際、所定温度よりも低い温度になっていた最下段商品を、所定温度に加熱するまでに所定の時間を必要とする「いわゆる立ち上がり遅れ」が生じ、所定温度以下の商品が販売されることがある。
【０００５】
そこで、最下段商品に接触可能あるいはこれに近接した位置、たとえば、商品切り出し装置の投出フラッパ（「商品切り出しペダル」に同じ）に面状発熱体を組み込んで、投出フラッパに接触している商品を直接的に加熱、あるいは、投出フラッパに所定の間隔を設けて対峙する商品寸法調整板に面状発熱体を組み込んで、商品寸法調整板に接触している商品を直接的に加熱する発明、すなわち、商品ラックに収納された商品を補助的に加熱する発明が開示されている（例えば、特許文献１参照）。
【特許文献１】特開２００２−１５３６８号公報（第５頁、図５）
【発明の開示】
【発明が解決しようとする課題】
【０００６】
しかしながら、特許文献１に開示された発明には以下の問題があった。
（イ）最下段商品に接触して、これを直接的に加熱する面状発熱体を設置するもの、すなわち、面状発熱体が投出フラッパの上面に接着されたフィルム状発熱体シートであって、その上面に伝熱板が密着されるものであるため、商品が直接衝突する伝熱板は破損したり剥がれたりするおそれがあり、伝熱板を介して衝撃ないし荷重が伝達されるフィルム状発熱体シートも破損したり剥がれたりするおそれがあり、耐久性が劣るという問題があった。
（ロ）商品ラックに収納された商品に接触可能な位置に面状発熱体を設置するものであるため、面状発熱体の設置位置が限定され、該設置位置を確保するため、商品切り出し装置の設計の自由度が低下し、ひいては、商品切り出し装置の製造コストが上昇するという問題があった。
（ハ）補助的な加熱のために、それ専用の面状発熱体（フィルム状発熱体シートおよび伝熱板）を設置する必要があるため、部品点数が増大し、商品切り出し装置の製造コストが上昇するという問題があった。
（ニ）最下段商品を直接的に加熱したのでは、最下端商品の下方に広がる空間に放出される熱量が多いため、供給された熱量のうち最下端商品の補助加熱に供される割合が少なく、加熱効率が悪いという問題があった。
（ホ）全商品ラックにおいて生じる前記「立ち上がり遅れ」の解消に有効であるものの、商品が収納される位置による前記「商品温度のバラツキ」の低減には寄与しないという問題があった。特に、商品収納庫の前面（筐体の開口部側、すなわち、商品搬出口か設置されている側）に近い位置に設置された商品ラックの下段に収納された商品は、他の位置に収納された商品より低温になる傾向にあり、「商品温度のバラツキ」が顕著であった。
【０００７】
本発明は上記課題を解決するためのものであり、設置位置の自由度が高くて耐久性も高い補助的な加熱手段を有し、あるいは、特別の補助的な加熱手段を必要とせず、さらに、商品温度のバラツキを低減することができる自動販売機を得ることを目的とする。
【課題を解決するための手段】
【０００８】
本発明に係る自動販売機（請求項１）は、断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータと、
前記商品シュータの下方に設置され、前記商品収納庫内の空気を加熱する空気加熱手段と、
前記商品シュータの下方に設置され、前記商品収納庫内の空気を送る送風手段と、
該送風手段によって送られた空気を前記商品ラックの内部を経由して前記送風手段に戻すための循環ダクトとを有する自動販売機であって、
前記商品切り出し装置が、前記商品ラックに収納された最下段の商品を受け止め、且つこれを落下させる商品切り出しペダルと、該商品切り出しペダルを駆動するソレノイドと、前記商品切り出しペダルを傾動自在に支持し、且つ前記ソレノイドが設置された切り出し装置基板とを具備し、
該ソレノイドが発する熱によって前記商品ラックに収納された商品が補助的に加熱されることを特徴とする。
【０００９】
本発明に係る自動販売機（請求項２）は、前記ソレノイドが前記商品切り出しペダルに連結されたプランジャを具備し、
該プランジャが作動する最低電圧よりも低い電圧を前記ソレノイドに付与するソレノイド制御装置を備えたことを特徴とする。
【００１０】
本発明に係る自動販売機（請求項３）は、前記ソレノイドが前記商品切り出しペダルに連結されたプランジャを具備し、
該プランジャが作動する最低電圧よりも高い電圧を前記ソレノイドに付与してから前記プランジャが作動を開始するまでの作動遅れ時間よりも短い時間の間だけ、前記最低電圧よりも高い電圧を前記ソレノイドに付与するソレノイド制御装置を備えたことを特徴とする。
【００１１】
本発明に係る自動販売機（請求項４）は、前記ソレノイドが前記商品切り出しペダルに連結されたプランジャを具備し、
該プランジャが作動する最低電圧よりも高い電圧を前記ソレノイドに付与してから前記プランジャが作動を開始するまでの作動遅れ時間よりも短い時間の間だけ、前記最低電圧よりも高い電圧を前記ソレノイドに付与し、
該最低電圧よりも高い電圧を付与する合間に、前記最低電圧よりも低い電圧を前記ソレノイドに付与するソレノイド制御装置を備えたことを特徴とする。
【００１２】
本発明に係る自動販売機（請求項５）は、前記ソレノイドの外面と前記切り出し装置基板とを熱的に連結する伝熱板が設置され、該伝熱板によって、前記ソレノイドの発する熱が前記切り出し装置基板に伝達されることを特徴とする。
【００１３】
本発明に係る自動販売機（請求項６）は、断熱材によって囲まれ一面に開口部が設けられた筐体と、
該開口部を開閉自在であって、商品が通過自在な商品搬出口を具備する断熱扉と、
該筐体内に設置された仕切り壁によって形成された商品収納庫と、
該商品収納庫内に配置され、商品を収納する商品ラックと、
該商品ラックの下端部に配置され、収納された商品を順次切り出す商品切り出し装置と、
該商品切り出し装置から切り出されて落下した商品を前記商品搬出口に誘導する商品シュータと、
前記商品シュータの下方に設置され、前記商品収納庫内の空気を加熱する空気加熱手段と、
前記商品シュータの下方に設置され、前記商品収納庫内の空気を送る送風手段と、
該送風手段によって送られた空気を前記商品ラックの内部を経由して前記送風手段に戻すための循環ダクトとを有する自動販売機であって、
前記商品切り出し装置が、前記商品ラックに収納された最下段の商品を受け止め、且つこれを落下させる商品切り出しペダルと、該商品切り出しペダルを駆動するペダル駆動手段と、前記商品切り出しペダルを傾動自在に支持し、且つ前記ペダル駆動手段が設置された切り出し装置基板と、該切り出し装置基板に対向して商品が通過自在な間隔を設けて配置された切り出し装置案内板と、前記切り出し装置基板または切り出し装置案内板の一方または両方の、商品が通過しない側の面に設置された発熱体とを具備し、
該発熱体が発する熱によって、前記商品ラックに収納された商品が補助的に加熱されることを特徴とする。
【００１４】
本発明に係る自動販売機（請求項７）は、前記商品ラックが前記筐体の前部から後部に向かって複数設置され、該商品ラックのうち最前部に設置された商品ラックにおいて、該商品ラックに収納された商品が補助的に加熱されることを特徴とする。
【００１５】
本発明に係る自動販売機（請求項８）は、前記補助的に加熱される商品が、前記商品ラックに収納された下から２個目または３個目の商品の一方または両方であることを特徴とする。
【発明の効果】
【００１６】
本発明に係る自動販売機（請求項１）は、商品切り出し装置が、商品切り出しペダルと、ソレノイドと、切り出し装置基板とを具備し、ソレノイドが発する熱によって商品ラックに収納された商品が補助的に加熱されるから、補助的な加熱手段を設置する必要がない。よって、部品点数が増加することがなく、設置のために設計が阻害されることがないから、製造コストの上昇を抑えることができる。
【００１７】
本発明に係る自動販売機（請求項２）は、プランジャが作動する最低電圧（Ｖ０）よりも低い電圧（Ｖ２＜Ｖ０）をソレノイドに付与するソレノイド制御装置を備えているから、ソレノイドに印加する電圧を変更するだけで、商品を商品ラックに収納したまま、所望のタイミングで所望の熱量の補助的な加熱をすることができる。
【００１８】
本発明に係る自動販売機（請求項３）は、プランジャが作動する最低電圧（Ｖ０）よりも高い電圧（Ｖ１＞Ｖ０）をソレノイドに付与してから前記プランジャが作動を開始するまでの作動遅れ時間（Ｔ１）よりも短い時間（△Ｔ１＜Ｔ１）の間だけ、前記最低電圧よりも高い電圧（Ｖ１）を前記ソレノイドに付与するソレノイド制御装置を備えているから、ソレノイドに印加する電圧の印加時間を変更するだけで、商品を商品ラックに収納したまま、所望のタイミングで所望の熱量の補助的な加熱をすることができる。
【００１９】
本発明に係る自動販売機（請求項４）は、プランジャが作動する最低電圧（Ｖ０）よりも高い電圧（Ｖ１＞Ｖ０）をソレノイドに付与してから前記プランジャが作動を開始するまでの作動遅れ時間（Ｔ１）よりも短い時間（△Ｔ１＜Ｔ１）の間だけ、前記最低電圧よりも高い電圧（Ｖ１）を前記ソレノイドに付与し、さらに、最低電圧よりも高い電圧（Ｖ１）を付与する合間（Ｔ１−△Ｔ１）に、前記最低電圧よりも低い電圧（Ｖ２＜Ｖ０）を前記ソレノイドに付与するレノイド制御装置を備えているから、ソレノイドに印加する電圧の幅（Ｖ１−Ｖ２）を小さくして、商品を商品ラックに収納したまま、所望のタイミングで所望の熱量の補助的な加熱をすることができる。
【００２０】
本発明に係る自動販売機（請求項５）は、ソレノイドの外面と切り出し装置基板とを熱的に連結する伝熱板が設置され、該伝熱板によってソレノイドの発する熱が切り出し装置基板に効率的に伝達されるから、ソレノイドの発する熱が、商品ラックに収納された商品の補助的な加熱に有効に利用される。
【００２１】
本発明に係る自動販売機（請求項６）は、商品切り出し装置が、商品切り出しペダルと、ペダル駆動手段と、切り出し装置基板と、切り出し装置案内板と、商品が通過しない側の面に設置された発熱体（切り出し装置基板または切り出し装置案内板の一方または両方において）とを具備し、該発熱体が発する熱によって商品ラックに収納された商品が補助的に加熱されるから、該発熱体に商品が衝突することがなく、耐久性が維持され、また、設置の自由度が高い。
【００２２】
本発明に係る自動販売機（請求項７）は、最前部（開口部、すなわち、商品搬出口に最も近い側）に設置された商品ラックにおいて、該商品ラックに収納された商品が補助的に加熱されるから、当該位置に収納された商品が優先的に加熱され、商品温度のバラツキが緩和される。
【００２３】
本発明に係る自動販売機（請求項８）は、補助的に加熱される商品が、商品ラックに収納された下から２個目または３個目の商品の一方または両方であるから、補助的な加熱に供給された熱量が、一旦、商品ラックに収納された下から２個目または３個目の商品の一方または両方に伝達された後、最下端商品に伝達される。よって、最下端商品の下方に広がる空間に直接放出される熱量が低減するから、効率の良い補助的な加熱ができる。
【発明を実施するための最良の形態】
【００２４】
以下、図面に基づいて実施形態を説明する、なお、以下の各図において同じ部分にはこれと同じ符号を付し、一部の説明を省略する。
【００２５】
［実施形態１］
（商品収納庫）
図１は本発明の自動販売機に係る実施形態１の構成を模式的に示す側面視の断面図である。図１において、自動販売機１は、断熱材によって囲まれ一面に開口部１１が設けられた筐体１０と、開口部１１を開閉自在であって、商品が通過自在な商品搬出口１２を具備する断熱扉１３と、筐体１０内に設置された図示しない仕切り壁によって形成された商品収納庫１４と、商品収納庫１４内に配置され、商品Ｓを収納する商品ラック２ａ、２ｂ、２ｃ、２ｄ、２ｅと、これらの下端部にそれぞれ配置され、収納された商品Ｓを順次切り出す商品切り出し装置３ａ、３ｂ、３ｃ、３ｄ、３ｅと、これらから切り出されて落下した商品Ｓを商品搬出口１２に誘導する商品シュータ１５と、商品シュータ１５の下方に設置され、商品収納庫１４内の空気（以下「庫内空気」と称す）を加熱する空気加熱手段である電熱ヒータ１６および庫内空気を送る送風手段である送風ファン１７と、送風ファン１７によって送られた庫内空気を商品ラック２の内部を経由して送風ファン１７に戻すための循環ダクト１８とを有している。
また、電熱ヒータ１６に並んで蒸発器１９が設置され、蒸発器１９は筐体１０の外部に設置された冷却ユニットに連結されている。
【００２６】
したがって、電熱ヒータ１６によって加熱された庫内空気は、送風ファン１７に吸引された後、商品シュータ１５に設けられた複数の通気孔を経由して上方に送られ、商品ラック２に到達する。そして、商品ラック２ａ、２ｂ、２ｃ、２ｄ、２ｅに収納された商品Ｓと熱交換した後、循環ダクト１８を経由して電熱ヒータ１６に戻っている。なお、図中の矢印は風路（風の流れ）を概念的に示すものであるが、実際は、商品ラック２ａ、２ｂ、２ｃ、２ｄ、２ｅのそれぞれに向かって風路が形成され、複雑な様相を呈するものである。
【００２７】
なお、図中、商品ラック２ａ、２ｂ、２ｃ、２ｄ、２ｅは５列配置されているが、本発明はこれに限定するものではなく、何れであってもよい。なお、本発明において、筐体１０の開口部１１側を「前」、その反対側で循環ダクト１８が設置されている側を「後」と称している。また、最前部に設置されたものを「最前列商品ラック２ａ」と称する場合がある。また、商品ラック２ａ、２ｂ、２ｃ、２ｄ、２ｅ（商品切り出し装置３ａ、３ｂ、３ｃ、３ｄ、３ｅに同じ）に設置される装置や部位であって、設置される位置にかかわらず共通するものについては、添え字「ａ、ｂ、ｃ、ｄ、ｅ」を省略して説明する。
【００２８】
（商品切り出し装置）
図２は、本発明の自動販売機に設置された商品切り出し装置を説明する一部断面の斜視図である。なお、説明の対象でない部位については図示していない。
商品ラック２は、断面矩形の筒状であって、断熱扉１３に平行して配置された商品ラック基板側面２１および商品ラック案内側面２２と、前後方向（断熱扉１３に垂直方向）に配置された一対の商品ラック端部側面２３、２４とを有している。そして、商品ラック２の下端部に商品切り出し装置３が設置されている。
【００２９】
商品切り出し装置３は、商品ラック２に略連続して断面矩形の筒状を形成する、切り出し装置基板３１（以下「装置基板３１」と称す）と、これに対向して商品Ｓが通過自在な間隔を設けて配置された切り出し装置案内板３２（以下「装置案内板３２」と称す）と、装置基板３１および装置案内板３２の端面側を塞ぐ一対の切り出し装置端板３３、３４とを有している。
そして、装置基板３１には商品切り出し下ペダル８が傾動自在に設置され、商品切り出し下ペダル８が起立、すなわち、装置基板３１に設けられた開口部３５を通過して装置案内板３２の方向に進出した際、商品Ｓは受け止められ、一方、商品切り出し下ペダル８が倒伏、すなわち、開口部３５を通過して装置案内板３２の方向から後退した際、商品Ｓは開放されて落下するものである。
【００３０】
また、装置基板３１の商品Ｓが通過しない側の面に、商品切り出し下ペダル８を駆動するためのソレノイド４が設置され、ソレノイド４のプランジャ５と商品切り出し下ペダル８とが、リンク部材６によって連結されている。すなわち、リンク部材６に設けられた係止用窓６０に、商品切り出し下ペダル８に固定された係止用突起７０が侵入している。したがって、プランジャ５が下降すると、商品切り出し下ペダル８は図示しない傾動支点を軸にして図中、時計回りに回動して、起立する。一方、プランジャ５が上昇すると、商品切り出し下ペダル８は、図中、反時計回りに回動して、倒伏することになる。なお、かかる傾動機構は限定するものでない（これについては別途詳細に説明する）。
【００３１】
図３および図４は、本発明の自動販売機に設置された商品切り出し装置３を模式的に示すものであって、図３をソレノイド設置側から見た一部の斜視図、図４は商品通過側から見た斜視図である。なお、説明の対象でない部位については図示していない。
図３において、ソレノイド４は、コイル部４１と鉄心部４２（鉄板部に同じ）とを有する扁平体であって、固定部材４３および固定ボルト４４によって装置基板３１に固定されている。
プランジャ５はソレノイド４によって駆動されて昇降（進退に同じ）するものであって、リンク部材６が係止するための貫通孔５６が設けられている。
【００３２】
リンク部材６は、所定の幅の板材によって形成されたものであって、上端部にプランジャ５の貫通孔５６に係止する係止部６５が曲げ加工され、上端部寄りに商品受け止めペダル９（以下「上ペダル９」と称す）を駆動するための上駆動ピン６９が固定され、下端部に商品切り出し下ペダル８（以下「下ペダル８」と称す）を駆動するための下駆動ピン６７が固定されている。
また、上駆動ピン６９および下駆動ピン６７は、図示しないガイド手段によって装置基板３１と平行に昇降自在に（移動自在に同じ）案内され、且つ、装置基板３１に垂直方向の荷重が作用しても、これを支持することができる構造になっている。
【００３３】
図４において、装置基板３１の開口部３５を通過して、下ペダル８の切り出し面８３（商品Ｓが直接当接する面）が突出し、商品切り出し面８３に一体的に形成された下フランジ８２が見えている。また、商品切り出し面８３の上方には、上ペダル９の上ペダル側面９２と、商品受け止め面９３（商品Ｓが直接当接する面）が見えている。
また、装置基板３１に設けられた第二の開口部３６（図３においては記載を省略している）を通過して、商品Ｓの有無を検知する商品検知ペダル６００が傾動自在に設置されている。
【００３４】
図５は、図３および図４に示す商品切り出し装置の動作を説明する部分断面図であって、（ａ）は下ペダルが商品Ｓを受け止めている状況、（ｂ）は上ぺダルが商品Ｓを受け止めている状況（下ペダルが商品Ｓ切り出した状況に同じ）である。
図５において、装置基板３１には、ソレノイド４、上ペダル９を傾動自在に支持する上支持ピン３９、下ペダル８を傾動自在に支持する下支持ピン３８、回動ストッパ７を傾動自在に支持するストッパ支持ピン３７が、それぞれ固定されている。
【００３５】
（商品切り出しペダルの動作）
図５の（ａ）において、回動ストッパ７（図中、単斜線にて示す）は、略扇型であって、扇の要に相当する位置に回動中心孔７１が設けられ、回動中心孔７１にストッパ支持ピン３７が摺動自在に侵入している。また、扇の外周に略沿って、略円弧状のストッパ従動溝７６が設けられ、ストッパ従動溝７６にリンク部材６の下駆動ピン６７が侵入している。さらに、回動中心孔７１から所定の距離だけ離れた位置に下押出ピン７８が固定され、下押出ピン７８に下ペダル８（図中、複斜線にて示す）の下押出面８７が当接している。
【００３６】
下ペダル８は、図中、複斜線にて示す下フランジ８２を有し、該フランジの取り付け側（図中、右側）に商品Ｓが当接する商品切り出し面８３が形成されている。そして、一方の端部に、傾動中心となる下傾動中心孔８１が設けられ、下傾動中心孔８１には下支持ピン３８が摺動自在に侵入している。また、下フランジ８２の商品Ｓが当接しない面で、下傾動中心孔８１から所定の距離だけ離れた位置に円弧状凹部からなる下押出面８７が形成され、下押出面８７には回動ストッパ７の下押出ピン７８が当接している。
【００３７】
すなわち、プランジャ５が進出してリンク部材６が下降すると、回動ストッパ７のストッパ従動溝７６に侵入している下駆動ピン６７が、回動ストッパ７を回動中心孔７１（ストッパ支持ピン３７に同じ）を支点として図中、時計回りに回動させることになる。このとき、回動ストッパ７の下押出ピン７８は、下ペダル８の逃げ面８４に摺動しながら下ペダル８は図中、右方向に押し出すため、下ペダル８は下傾動中心孔８１（下支持ピン３８に同じ）を支点として図中、反時計回りに傾動する。
そして、下駆動ピン６７がストッパ従動溝７６の下端部に到達すると、回動ストッパ７の下押出ピン７８は下ペダル８の下押出面８７に当接、すなわち、略円弧状凹部である下押出面８７の縁を乗り越えて該略円弧状凹部の底に落ち込むことになる（かかる状態を「起立」と称す）。
このとき、商品切り出し面８３には最下端商品Ｓ１が当接し、最下端商品Ｓ１の自重およびその上に収納された複数の商品Ｓの自重を合計した重量の一部がかかっているが、かかるリンク機構を採用しているため、下押出ピン７８（下押出面８７に同じ）に作用する力、さらに、下駆動ピン６７（ストッパ従動溝７６の下端部に同じ）に作用する力は緩和されている。したがって、下駆動ピン６７を案内する図示しないガイド手段に、図中、右方向の大きな力が作用することがない。
【００３８】
図５の（ｂ）において、プランジャ５が後退してリンク部材６が上昇している。このとき、リンク部材６の下駆動ピン６７が回動ストッパ７のストッパ従動溝７６に沿って移動するから、回動ストッパ７は回動中心孔７１（ストッパ支持ピン３７に同じ）を傾動中心として図中、反時計回りに傾動している。
また、下ペダル８は、回動ストッパ７の下押出ピン７８が下ペダル８の下押出面８７から外れるため、支持を失い、下傾動中心孔８１（下支持ピン３８に同じ）を傾動中心として図中、時計回りに傾動している（かかる状態を「倒伏」と称す）。すなわち、かかる倒伏状態において、最下段商品Ｓ１は切り出され、落下することになる。
【００３９】
なお、下ペダル８には、略円弧状凹部からなる逃げ面８４が形成されているから、下押出面８７を外れた下押出ピン７８は逃げ面８４に沿って移動し、下ペダル８の傾動を規制することがない。
また、前記支持を失った下ペダル８の傾動は、最下端商品Ｓ１の自重およびその上に収納された複数の商品Ｓの自重によって開始されるものであるが、後述するように上ペダル９が下端から２個目の商品Ｓ２を受け止めた後は、最下端商品Ｓ１の自重によって継続されるものである。
【００４０】
（商品受け止めペダルの動作）
図５の（ａ）において、上ペダル９（図中、単斜線にて示す）は、略扇型であって、扇の要に相当する位置に上傾動中心孔９１が設けられ、上傾動中心孔９１に上支持ピン３９が摺動自在に侵入している。また、扇の外周に、商品Ｓが直接当接する商品受け止め面９３が形成され、上傾動中心孔９１と商品受け止め面９３とを結ぶ線に対して所定の角度だけ傾斜した上従動溝９６と、上傾動中心孔９１と商品受け止め面９３とを結ぶ線に略平行に上ペダル側面９２とが形成されている。
【００４１】
すなわち、プランジャ５が進出してリンク部材６が下降すると、上ペダル９の上従動溝９６に侵入している上駆動ピン６９が、上ペダル９を上傾動中心孔９１（上支持ピン３９に同じ）を支点として図中、反時計回りに傾動させることになる。
そして、上駆動ピン６９が上従動溝９６の下端部に到達したとき、上ペダル側面９２は装置基板３１の商品Ｓが通過する側の面と略同一面内に位置している。すなわち、かかる状態で、商品Ｓは、装置基板３１と装置案内板３２との間を通過することになる。
【００４２】
図５の（ｂ）において、プランジャ５が後退してリンク部材６が上昇している。このとき、リンク部材６の上駆動ピン６９が上ペダル９の上従動溝９６に沿って移動するから、上ペダル９は上傾動中心孔９１（上支持ピン３９に同じ）を傾動中心として図中、時計回りに傾動する。そして、上ペダル９の上従動溝９６の口元（略扇形の外周近く）に形成された上押出面９４に、リンク部材６の上駆動ピン６９が当接している。
【００４３】
すなわち、商品受け止め面９３は商品Ｓが通過する側に進出するから、商品Ｓ２は商品受け止め面９３によって受け止められ、装置基板３１と装置案内板３２との間を通過して落下することがない。
このとき、商品受け止め面９３には下から２個目の商品Ｓ２が当接し、該商品Ｓ２の自重およびその上に収納された複数の商品Ｓの自重を合計した荷重の一部がかかっているが、かかるリンク機構を採用しているため、上駆動ピン６９（上押出面９４に同じ）に作用する力は緩和されている。したがって、上駆動ピン６９を案内する図示しないガイド手段に、図中、右方向の大きな力が作用することがない。
【００４４】
以上より、プランジャ５が後退してリンク部材６が上昇した際、下ペダル８は倒伏して最下段商品Ｓ１を切り出すものの、同時に、上ペダル９の商品受け止め面９３は商品Ｓが通過する側に進出するから、最下段商品Ｓ１よりも上方に収納されている商品Ｓ２、Ｓ３等が落下することがない。
そして、最下段商品Ｓ１の切り出しが完了して後は、プランジャ５を前進させてリンク部材６を上昇させれば、下パネル８が起立して、上パネル９が後退するから、前記商品Ｓ２が、新たに最下端商品Ｓ１として収納されることになる。
【００４５】
（ソレノイドの発熱その１）
図６は、本発明の自動販売機に設置された商品切り出し装置における、ソレノイドを駆動する電流と電圧の関係を示す相関図であって、縦軸は電流、横軸は電圧である。
すなわち、商品切り出し装置３に設置されたソレノイド４の電圧と電流は、電圧が高くなると電流が大きくなる関係にある。
一方、ソレノイド４は、たとえば、図３〜図５に示すようなリンク機構を駆動するものであって、最下段商品Ｓ１を切り出すには所定の力を必要としている。すなわち、商品切り出し装置３の回動ストッパ７の下押出ピン７８が、下ペダル８の下押出面８７から外れる必要があり、このとき、下押出ピン７８が略円弧状凹部に形成された下押出面８７の底から、該略円弧状凹部の縁を見掛け上「乗り越える」ためである。
【００４６】
したがって、ソレノイド４のプランジャ５は、一定の値の電流（以下「最低駆動電流Ａ０」と称す）以上の電流にならないと動作しないことになる。そこで、最下段商品Ｓ１の切り出し動作の際は、ソレノイド４のコイル部４１を流れる電流を、最低駆動電流Ａ０以上にするために最低駆動電圧Ｖ０以上の高電圧Ｖ１（Ｖ１＞Ｖ０）を印加する必要がある。
一方、ソレノイド４に最低駆動電圧Ｖ０以下の低電圧Ｖ２（Ｖ２＜Ｖ０）を印加したのでは、長時間の印加であってもプランジャ５は作動しないものの、印加時間の長短にかかわらずコイル部４１に流れる電流によってジュール熱が発生する。
【００４７】
すなわち、本発明は該発熱に着目して、これを商品Ｓの補助的な加熱に利用するものである。特に、ソレノイド４が上ペダル９よりも上（下ペダル８よりも上）に配置されているため、ソレノイド４からの発熱は、主に装置基板３１の上位置に流れ込むことになる。このため、商品ラック２に収納された商品Ｓのうち、主に下から２番目または３番目の商品Ｓ２、Ｓ３が装置基板３１からの入熱によって補助的に加熱され、該商品Ｓ２、Ｓ３からの伝熱によって最下段商品Ｓ１が補助的に加熱されることになる。
したがって、商品切り出し装置を構成する部品の点数を増すことなく、商品Ｓを補助的に加熱することが可能になる。また、かかる補助的な加熱のために特別の加熱手段を必要としないから、商品切り出し装置の設計の自由度が維持され、製造コストの上昇が抑えられる。また、装置基板３１の上位置において前記発熱するから、商品収納庫１４の下方の空間に放出される熱量が抑えら、前記発熱が効果的に利用されることになる。
【００４８】
（制御装置その１）
図７は、本発明の自動販売機に設置された制御装置その１に係る実施形態１を模式的に示す構成図ある。図７において、制御装置１００は、自動販売機１に設置された商品切り出し装置３におけるソレノイド４を制御するものであって、商品Ｓを補助的に加熱するためのものである。
すなわち、制御装置１００は、電源１１０と、可変電圧装置１２０と、分配装置１３０（ＯＮ−ＯＦＦ装置に同じ）とを有している。分配装置１３０はスイッチ１３１ａ、１３１ｂ、１３１ｃ、１３１ｄ、１３１ｅを具備し、それぞれはソレノイド４ａ、４ｂ、４ｃ、４ｄ、４ｅ（商品切り出し装置３ａ、３ｂ、３ｃ、３ｄ、３ｅに設置されている）に接続されている。
【００４９】
したがって、可変電圧装置１２０によって、印加電圧を最低駆動電圧Ｖ０以上の高電圧Ｖ１に設定して、分配装置１３０のスイッチ１３１ａを通電（ＯＮ）すれば、ソレノイド４ａには高電圧Ｖ１が印加されるから、商品切り出し装置３ａ（商品ラック２ａに同じ）から最下段商品Ｓ１が切り出されることになる。
一方、可変電圧装置１２０によって、印加電圧を最低駆動電圧Ｖ０以下の低電圧Ｖ２に設定して、分配装置１３０のスイッチ１３１ａを通電（ＯＮ）すれば、ソレノイド４ａには低電圧Ｖ２が印加されるものの、商品切り出し装置３ａの下ペダル８ａは作動しないから、最下段商品Ｓ１が切り出されることはなく、ソレノイド４ａの発するジュール熱によって、商品ラック２ａに収納された商品Ｓが補助的に加熱されることになる。
【００５０】
同様に、たとえば、可変電圧装置１２０によって印加電圧を低電圧Ｖ２に設定して、分配装置１３０のスイッチ１３１ａ、１３１ｂ、１３１ｃを通電（ＯＮ）すれば、ソレノイド４ａ、４ｂ、４ｃの発するジュール熱によって、商品ラック２ａ、２ｂ、２ｃに収納された商品Ｓが補助的に加熱されることになる。この間に、商品ラック２ａに収納された商品Ｓを切り出す要領は、分配装置１３０のスイッチ１３１ｂ、１３１ｃを絶縁（ＯＦＦ）して、可変電圧装置１２０によって印加電圧を高電圧Ｖ１に変更し、当該切り出し後の完了後に、印加電圧を低電圧Ｖ２に戻し、スイッチ１３１ｂ、１３１ｃを再度通電（ＯＮ）するものである。なお、印加電圧を変更する間、全スイッチを絶縁（ＯＦＦ）するようにしてもよい。
【００５１】
（制御装置その２）
図８は、本発明の自動販売機に設置された制御装置その２に係る実施形態１を模式的に示す構成図ある。図８において、制御装置２００は、制御装置１００（図７参照）に準じるものであって、電源２１０と、電圧可変装置２２０と、分配装置２３０（ＯＮ−ＯＦＦ装置の同じ）とを有している。
電圧可変装置２２０は、スイッチ２２１が設置された直結回路２２２と、これに並列した、スイッチ２２３および抵抗２２４が設置された抵抗回路２２５とを具備している。したがって、高電圧Ｖ１を印加する場合（商品切り出し時）は直結回路２２２を生かし（スイッチ２２１をＯＮ、スイッチ２２２をＯＦＦ）、一方、低電圧Ｖ２を印加する場合（補助的な加熱時）は抵抗回路２２５を生かす（スイッチ２２１をＯＦＦ、スイッチ２２２をＯＮ）。
また、分配装置２３０はスイッチ２３１ａ、２３１ｂ、２３１ｃ、２３１ｄ、２３１ｅを具備し、それぞれ制御装置１００の分配装置１３０のスイッチ１３１ａ、１３１ｂ、１３１ｃ、１３１ｄ、１３１ｅに相当するものである。
【００５２】
（庫内空気の温度変化）
図９は、本発明の自動販売機における庫内空気の温度変化の一例を模式的に示す温度変化図である。図９の（ａ）の縦軸は庫内温度であって、最前列商品ラック２ａの直下において測定したもの、（ｂ）は電熱ヒータ１６の通電状況、（ｃ）は前述の制御装置その１によるソレノイドの通電状況であって、横軸はいずれも時間である。
電熱ヒータ１６を所定のインターバルで加熱、すなわち、一定時間の通電（ＯＮ）と一定時間の停電（ＯＦＦ）とを交互に繰り返した場合、最前列商品ラック２ａの下の空気温度は、図９の（ａ）に実線で示す鋸歯状を呈す。このとき、空気温度は、「温度イａ（図中「イａ」にて示す）」と「温度ロａ（図中「イａ」にて示す）」との間を往復し、最前列商品ラック２ａに収納された最下端商品Ｓ１の平均温度は「温度ハａ（図中「ハａ」にて示す）」になっている。
さらに、前２列目より後方に位置する商品ラック２ｂ、２ｃ、２ｄ、２ｅについても、その下の空気の温度変化は同様の鋸歯状を呈し、それに収納された最下端商品Ｓ１の平均温度は、それぞれ「温度ハｂ、ハｃ、ハｄ、ハｅ（図示しない）」になっている。
【００５３】
一方、前記インターバルと同じインターバルで、電熱ヒータ１６による加熱とソレノイド４ａによる補助的な加熱との両方を実施すると、最前列商品ラック２ａの下の空気温度は、図９の（ａ）に二点鎖線で示す鋸歯状を呈す。このとき、空気温度は、「温度ニａ（図中「ニａ」にて示す）」と「温度ホａ（図中「ホａ」に示す）」との間を往復し、最前列商品ラック２ａに収納された最下端商品Ｓ１の平均温度は「温度ヘａ（図中「ヘａ」に示す）」に上昇する。
また、最前列商品ラック２ａに隣接する前２列目の商品ラック２ｂは、ソレノイド４ａによる補助的な加熱の影響を受けるため、最前列商品ラック２ａほどではないものの、その下の空気の温度変化は前記同様に鋸歯状を呈し、商品ラック２ｂに収納された最下端商品Ｓ１の平均温度は「温度トｂ（温度トｂ＜温度ヘａ、図示しない）」になっている。
【００５４】
さらに、その他の商品ラック２、たとえば商品ラック２ｄにおいて、電熱ヒータ１６による加熱とソレノイド４ｄによる補助的な加熱との両方を実施すると、商品ラック２ｄの下の空気の温度変化は前記同様の鋸歯状を呈し、これに収納された最下端商品Ｓ１の平均温度は「温度ヘｄ（図示しない）」に上昇する。そして、商品ラック２ｄに隣接する商品ラック２ｃ、２ｅに収納された最下端商品Ｓ１の平均温度は、それぞれ「温度トｃ、トｅ（図示しない）」になる。
【００５５】
図１０は、本発明の自動販売機における商品温度の分布の一例を模式的に示す温度分布図ある。図１０の縦軸は商品ラック２（商品収納庫１４に同じ）に収納された最下端商品Ｓ１の平均温度、横軸は商品ラック２の位置（前から後に向かっている）である。
【００５６】
図中、黒丸は電熱ヒータ１６によって加熱された場合の、商品ラック２ａ、２ｂ、２ｃ、２ｄ、２ｅに収納された最下端商品Ｓ１の平均温度「温度ハａ、ハｂ、ハｃ、ハｄ、ハｅ」である。
すなわち、商品収納庫１４は、庫内空気流れの不均一、隣接する商品収納庫や外気との熱の出入り、あるいは、商品搬出口１２を経由した僅かな熱の流入流出等によって、商品平均温度にバラツキが生じ、最前列商品ラック２ａにおける最下端商品Ｓ１の平均温度「ハａ」が最も低く、中間列の商品ラック２ｃにおける最下端商品Ｓ１の平均温度「ハｃ」を最大にして、商品収納庫１４の前後方向で略山状を呈している。
【００５７】
図中、白丸は、電熱ヒータ１６による加熱と、最前列商品ラック２ａに設置されたソレノイド４ａにのみ低電圧を印加する補助的な加熱との両方を実施した場合の、最下端商品Ｓ１の平均温度である。すなわち、最前列商品ラック２ａにおける最下端商品Ｓ１は、該補助的な加熱によって最も加熱されるから、平均温度「ヘａ」に上昇している。また、前２列目の商品ラック２ｂにおける最下端商品Ｓ１も、該補助的な加熱の影響により、平均温度「トｂ」に上昇している。
【００５８】
このとき、最前列商品ラック２ａの上昇後の平均温度「ヘａ」が最後列の商品ラック２ｅの前記平均温度「ハｅ」に略等しく、２列目の商品ラック２ｂの上昇後の平均温度「トｂ」が中間列の商品ラック２ｃの前記平均温度「ハｃ」に略等しくなっている。
すなわち、電熱ヒータ１６の単独加熱の場合には、平均温度「ハａ」と平均温度「ハｃ」との差が温度バラツキの幅として存在していたのが、電熱ヒータ１６の加熱にソレノイド４ａによる補助的な加熱を併用した場合には、温度バラツキの幅が平均温度「トａ」と平均温度「ハｃ」との差にまで減少している。
よって、本発明によって、商品平均温度のバラツキが減少し、特に、最前列商品ラック２ａに収納された最下端商品Ｓ１の加熱不足傾向（放熱過多傾向に同じ）が効果的に緩和されることが分かる。
【００５９】
なお、図９の（ｃ）において、ソレノイド４による補助的な加熱をしている間に、商品を切り出すには、当該商品ラックに設置されたソレノイド４に高電圧Ｖ１を印加すればよい。これを図中、「切り出し動作」として楕円で囲って示している。
【００６０】
なお、以上は、最前列商品ラック２ａに配置されたソレノイド４ａのみが補助的な加熱をするものであるが、本発明はこれに限定するものではなく、商品平均温度のバラツキに対応して、何れの位置の１または２以上のソレノイド４に低電圧Ｖ２を印加してもよい。
また、電熱ヒータ１６による加熱とソレノイド４による補助的な加熱との両方を実施した場合を示しているが、本発明はこれに限定するものではなく、電熱ヒータ１６による加熱を停止（ＯＦＦ）している間、ソレノイド４単独で補助的な加熱を継続し、該停止時間帯における最下端商品Ｓ１の温度低下を防止してもよい。
【００６１】
（ソレノイドの発熱その２）
図１１は、本発明の自動販売機に設置された商品切り出し装置における、ソレノイドを駆動する電流等と時間との関係を示す相関図であって、縦軸は電流またはソレノイド４に印加する電圧、横軸は時間である。
すなわち、プランジャ５が動作を開始するには、前述のように所定の力が必要であるため、プランジャ５が作動する最低電圧（Ｖ０）より高い高電圧Ｖ１をかけてもすぐには動作せず（図中「あ」にて示す）、ソレノイド４を流れる電流は除々に上昇して、所定の「作動遅れ時間Ｔ１」の後に電流Ａ０に到達する（図中「い」にて示す）。電流Ａ０を「起動限界」と称す。
このことは、高電圧Ｖ１を印加する場合であっても、印加時間が作動遅れ時間Ｔ１より短い限りは、プランジャ５が動作しないことを示している。また、作動遅れ時間Ｔ１より短い限り時間△Ｔ１（△Ｔ１＞Ｔ１）の印加であっても、ソレノイド４のコイル部４１からはジュール熱が発するものである。
【００６２】
すなわち、本発明は該発熱に着目して、前述のソレノイドの発熱その１と同様に、これを商品Ｓの補助的な加熱に利用するものであって、商品切り出し装置を構成する部品の点数を増すことなく、商品Ｓを補助的に加熱することが可能になる。また、かかる補助的な加熱のために特別の加熱手段を必要としないから、商品切り出し装置の設計の自由度が維持され、製造コストの上昇が抑えられる。また、装置基板３１の上位置において前記発熱するから、商品収納庫１４の下方の空間に放出される熱量が抑えられ、前記発熱が効果的に利用されることになる。
【００６３】
（制御装置その３）
前述の「ソレノイドの発熱その２」を利用した、商品Ｓを補助的に加熱するための制御装置その３（図示しない）は、補助的な加熱が必要な場合は、デューティ制御で、切り出し操作が必要な場合は、ＯＮ−ＯＦＦ制御をおこなうものである。
なお、図１１では、作動遅れ時間Ｔ１ごとに、時間「Ｔ１−△Ｔ１」の待ち時間を設けて、時間△Ｔ１の間だけ高電圧Ｖ１を印加しているが、本発明はこれに限定するものではなく、待ち時間を殆ど無くして、略時間△Ｔ１のインターバルで、時間△Ｔ１の間だけ高電圧Ｖ１を印加してもよく、また、待ち時間を時間「Ｔ１−△Ｔ１」より長くして、より緩慢なインターバルで、時間△Ｔ１の間だけ高電圧Ｖ１を印加してもよい。
【００６４】
すなわち、最低電圧（Ｖ０）に対する高電圧Ｖ１の割合、作動遅れ時間Ｔ１に対する印加時間△Ｔ１あるいは前記待ち時間の割合は限定するものではなく、また、待ち時間の間に低電圧Ｖ２を印加することができるものであり、補助的な発熱量を所望の一定値になるように設定すれことができるものである。
したがって、本制御装置その３によって、最前列商品ラック２ａに配置されたソレノイド４ａに補助的な発熱をさせれば、図１０に示す商品平均温度の分布図と同様に、商品平均温度のバラツキが減少するものである。
【００６５】
（伝熱板）
図１２は、図２および図３に示す自動販売機に設置された商品切り出し装置に設置された伝熱板を説明する斜視図である。
図１２の（ａ）において、伝熱板３００は、板材によって形成され、ソレノイド４のコイル部４１が侵入する開口部３４１と、鉄心部４２に熱的に接合される受熱部３４２と、装置基板３１に熱的に接合される放熱部３３１とを有し、設置用孔３４４を貫通する固定ボルト４４によって、ソレノイド４と略一体的に装置基板３１に固定されるものである。したがって、ソレノイド４の発熱、主に鉄心部４２からの発熱が装置基板３１に効果的に伝達され、特に、商品ラック２の下から２番目または３番目の商品Ｓ２、Ｓ３が補助的に加熱されることになる。
図１２の（ｂ）において、伝熱板４００は、板材によって形成され、ソレノイド４のコイル部４１に熱的に接合される受熱部４４１と、装置基板３１に熱的に接合される放熱部４３１とを有している。したがって、ソレノイド４の発熱、主にコイル部４１からの発熱が装置基板３１に効果的に伝達され、特に、商品ラック２の下から２番目または３番目の商品Ｓ２、Ｓ３が補助的に加熱されることになる。なお、伝熱板４００の形状は図示するものに限定するものではなく、板材を曲げ加工して鉄心部４２に熱的に接合自在な伝熱部を設けてもよい。
【００６６】
［実施形態２］
（補助発熱体）
本発明の自動販売機に係る実施形態２の自動販売機５００は、前述の自動販売機１において、最前列商品ラック２ａに設置された商品切り出し装置３ａに補助発熱体５０１ａが設置されたものである。
図１３は、本発明の自動販売機に係る実施形態２の自動販売機における、商品切り出し装置３ａに設置された補助発熱体５０１ａを説明する斜視図である。すなわち、補助発熱体５０１ａは装置基板３１ａの上位置で、ソレノイド４ａに並んで設置されている。したがって、特に、商品ラック２ａの下から２番目の商品Ｓ２または３番目の商品が補助的に加熱されることになる。また、補助発熱体５０１ａは、商品Ｓが直接当接しないから、損傷や劣化が防止され、装置基板の空きスペースに設置されるから、設計の自由度が維持される。
【００６７】
なお、装置基板３１ａに設置する代わりまたは、装置基板３１ａと共に、装置案内板３２ａの上位置（図示された補助発熱体５０１ａの位置の略対称位置）に、別個の補助発熱体（図示しない）を設置しても、同様の作用効果（図１０参照）が得られるものである。
また、前述の制御装置その１（図７参照）、その２（図８参照）、またはその３（図示しない）は撤去して補助発熱体５０１ａの発熱を利用してもよいし、設置されたままにして、ソレノイド４ａの発熱と補助発熱体５０１ａの発熱との両方を利用してもよい。
【産業上の利用可能性】
【００６８】
本発明は以上の構成であるから、商品の補助加熱手段を有する各種自動販売機に広く利用することができる。
【図面の簡単な説明】
【００６９】
【図１】本発明の自動販売機に係る実施形態１の構成を模式的に示す断面図。
【図２】本発明の自動販売機に設置された商品切り出し装置を説明する斜視図。
【図３】本発明の自動販売機に設置された商品切り出し装置を示す駆動側の斜視図。
【図４】本発明の自動販売機に設置された商品切り出し装置を示す商品側の斜視図。
【図５】図３および図４に示す商品切り出し装置の動作を説明する部分断面図。
【図６】ソレノイドを駆動する電流と電圧の関係を示す相関図。
【図７】自動販売機に設置された制御装置その１に係る実施形態１を示す構成図。
【図８】自動販売機に設置された制御装置その２に係る実施形態１を示す構成図。
【図９】自動販売機における庫内空気の温度変化の一例を模式的に示す温度変化図。
【図１０】自動販売機における商品温度の分布の一例を模式的に示す温度分布図。
【図１１】ソレノイドを駆動する電流等と時間との関係を示す相関図。
【図１２】商品切り出し装置に設置された伝熱板を説明する斜視図。
【図１３】本発明の自動販売機に係る実施形態２の自動販売機における、商品切り出し装置３ａに設置された補助発熱体を説明する斜視図。
【符号の説明】
【００７０】
１ 自動販売機
２ 商品ラック
３ 商品切り出し装置 
４ ソレノイド
５ プランジャ
６ リンク部材
７ 回動ストッパ
８ 下パネル
９ 上パネル
１０ 筐体
１１ 開口部
１２ 商品搬出口
１３ 断熱扉
１４ 商品収納庫
１５ 商品シュータ
１６ 電熱ヒータ
１７ 送風ファン
１８ 循環ダクト
１９ 蒸発器
２１ 商品ラック基板側面
２２ 商品ラック案内側面
２３ 商品ラック端部側面
３１ 装置基板
３２ 装置案内板
３３ 装置端板
３４ 装置端板
３５ 開口部
３６ 開口部
３７ ストッパ支持ピン
３８ 下支持ピン
３９ 上支持ピン
４１ コイル部
４２ 鉄心部
４３ 固定部材
４４ 固定ボルト
５６ 貫通孔
６０ 係止用窓
６５ 係止部
６７ 下駆動ピン
６９ 上駆動ピン
７０ 係止用突起
７１ 回動中心孔
７６ ストッパ従動溝
７８ 下押出ピン
８１ 下傾動中心孔
８２ 下フランジ
８３ 商品切り出し面
８４ 逃げ面
８７ 下押出面
９１ 上傾動中心孔
９２ 上ペダル側面
９３ 商品受け止め面
９４ 上押出面
９６  上従動溝
１００   制御装置
１１０   電源
１２０   可変電圧装置
１３０   分配装置
１３１ａ スイッチ
１３１ｂ スイッチ
２００   制御装置
２１０   電源
２２０   電圧可変装置
２２１   スイッチ
２２２   直結回路
２２３   スイッチ
２２４   抵抗
２２５   抵抗回路
２３０   分配装置
２３１ａ スイッチ
３００   伝熱板
３３１   放熱部
３４１   開口部
３４２   受熱部
３４４   設置用孔
４００   伝熱板
４３１   放熱部
４４１   受熱部
５００   自動販売機
５０１ａ 補助発熱体
６００   商品検知ペダル
【図１】
2006107267.tif 000003
【図２】
2006107267.tif 000004
【図３】
2006107267.tif 000005
【図４】
2006107267.tif 000006
【図５】
2006107267.tif 000007
【図６】
2006107267.tif 000008
【図７】
2006107267.tif 000009
【図８】
2006107267.tif 000010
【図９】
2006107267.tif 000011
【図１０】
2006107267.tif 000012
【図１１】
2006107267.tif 000013
【図１２】
2006107267.tif 000014
【図１３】
2006107267.tif 000015